(57)【特許請求の範囲】
【請求項１】
所定のチャンネルの番組について、放送波の受信状態が良好な場合にフルセグメントデジタル放送受信を行い、放送波の受信状態が基準値よりも悪化した場合にワンセグメントデジタル放送受信を行うデジタル放送受信装置であって、
複数のアンテナのそれぞれに対応して設けられた複数のチューナ部と、
第１のチャンネルに対応する復調処理および映像・音声の再生処理を、コマーシャル放送中以外の期間については前記複数のチューナ部の出力に基づいて行い、コマーシャル放送中の期間については前記複数のチューナ部の一部の出力に基づいて行う第１の復調再生手段と、
前記第１のチャンネルにおいて前記コマーシャル放送中に、前記第１のチャンネルとは異なる第２のチャンネルに対応する復調処理および映像・音声の再生処理を、前記複数のチューナ部の残りの出力に基づいて行う第２の復調再生手段と、
前記基準値を前記コマーシャル放送中とその前後で変更し、前記コマーシャル放送中のフルセグメントデジタル放送受信を、その前後に比べて受信状態が悪化しても維持できるように、前記基準値を前記コマーシャル放送中とその前後で変更する基準値変更手段と、
前記第１の復調再生手段による処理内容に基づいて前記コマーシャル放送の開始時点および終了時点を検出するコマーシャル検出手段と、
前記開始時点以前および前記終了時点以後に、前記第１のチャンネルに対応する前記第１の復調再生手段の出力を用いて映像表示および音声出力を行い、前記開始時点から前記終了時点までの間に、前記第２のチャンネルに対応する前記第２の復調再生手段の出力を用いて映像表示および音声出力を行う出力切替手段と、
を備えることを特徴とするデジタル放送受信装置。
【請求項２】
請求項１において、
前記出力切替手段は、コマーシャル放送中以外は、前記第１のチャンネルの番組に対応する映像を表示装置に表示し、コマーシャル放送中は前記第１のチャンネルの番組に対応する映像に代えて、前記第２のチャンネルの番組に対応する映像を前記表示装置に表示することを特徴とするデジタル放送受信装置。
【請求項３】
請求項１または２において、
前記第１および第２の復調再生手段は、２以上の前記チューナ部の出力に基づいて前記復調処理および前記再生処理を行う場合に、これら２以上の前記チューナ部を用いた合成ダイバーシティ構成によって１つの番組に対するこれらの処理を行うことを特徴とするデジタル放送受信装置。
【請求項４】
請求項１〜３のいずれか一項において、
前記第２の復調再生手段による前記復調処理および前記再生処理の対象となる前記第２のチャンネルの番組を、利用者による操作に応じて切り替える選局手段をさらに備えることを特徴とするデジタル放送受信装置。
【請求項５】
請求項１〜４のいずれか一項において、
前記出力切替手段は、前記コマーシャル検出手段によって前記コマーシャル放送の終了時点が検出されたときに、映像表示および音声出力の対象を、前記第２のチャンネルに対応する前記第２の復調再生手段から、前記第１のチャンネルに対応する前記第１の復調再生手段に自動的に切り替えることを特徴とするデジタル放送受信装置。
【請求項６】
請求項１〜５のいずれか一項において、
前記出力切替手段は、前記コマーシャル検出手段によって前記コマーシャル放送の終了時点が検出された時点で、利用者が操作手段を操作することによる切り替え時期の延長が指示されている場合に、この指示の解除を待って、映像表示および音声出力の対象を、前記第２のチャンネルの番組から前記第１のチャンネルの番組に切り替えることを特徴とするデジタル放送受信装置。
【請求項７】
請求項１〜６のいずれか一項において、
前記コマーシャル検出手段は、前記コマーシャル放送が開始された後、所定周期で所定時間だけ前記終了時点の検出を行うことを特徴とするデジタル放送受信装置。
【発明の詳細な説明】
【技術分野】
【０００１】
本発明は、車両等に搭載されて映像や音声などのデジタル放送等を受信するデジタル放送受信装置に関する。
【背景技術】
【０００２】
従来から、メインチューナで選局中のチャンネルの放送番組がＣＭ（コマーシャル）放送に移行したときに、引き続きＣＭ放送中のチャンネルをメイン画面に表示するとともに、予め設定されている自動選局の順番にしたがって他のチャンネルをサブ画面に表示し、メイン画面のＣＭ放送が終了した場合にサブ画面の表示を終了させるようにした放送受信装置が知られている（例えば、特許文献１参照。）。
【０００３】
また、従来から、ワンセグ放送を再生するワンセグモードと、フルセグ放送を再生するフルセグモードの各動作モードを有し、受信品質が良好なときにフルセグ放送を受信し、受信品質が悪化したときにワンセグ放送を受信するようにした地上デジタル放送受信機としての携帯端末が知られている（例えば、特許文献２参照）。
【先行技術文献】
【特許文献】
【０００４】
【特許文献１】特開２００３−２１９３０７号公報
【特許文献２】特開２０１１−１０３５３９号公報
【発明の概要】
【発明が解決しようとする課題】
【０００５】
車両等に搭載された最近の地上デジタル放送受信機では、通常は複数のチューナ部を用いたダイバーシティ受信を行い、必要に応じてこれら複数のチューナ部を分配して用いることにより、通常受信と並行して番組サーチ等の他の動作を行うことができるようになっている。この機能を用いることにより、視聴中のチャンネルのＣＭ放送中に、他のチャンネルの番組を順次切り替えて視聴する等の特許文献１に開示されたような番組視聴が可能となる。
【０００６】
ところで、特許文献２に開示されているように受信品質が低下するとフルセグ放送受信からワンセグ放送受信に動作モードが切り替わる地上デジタル放送受信機に、特許文献１に開示されているようなＣＭ放送受信時の動作を行わせる場合を考えると、以下に示す問題が生じる。
【０００７】
ＣＭ放送受信前には全てのチューナ部を用いたダイバーシティ受信を行うため、良好な受信品質が得られやすく、フルセグ放送の番組を受信する機会が多いと考えられる。一方、ＣＭ放送中は、一部のチューナ部を用いた番組受信を行ってＣＭが継続中か否かの判定を行うことになる。しかし、チューナ部の数が少ない分受信品質が低下するため、フルセグ放送の番組受信から同じ内容のワンセグ放送の番組受信に切り替わる機会が増えることになる。一般に、同じ内容の番組を受信した場合であっても、ワンセグ放送の方がフルセグ放送よりも番組の受信タイミングが２〜３秒程度遅れるため、ワンセグ放送の番組においてＣＭ放送の終了を検出し、その時点で全てのチューナ部を用いたフルセグ放送の番組受信に切り替えても、ＣＭ終了後の番組の先頭部分が２〜３秒程度欠落することになり、番組の一部を視聴できずに見逃してしまうという問題があった。
【０００８】
本発明は、このような点に鑑みて創作されたものであり、その目的は、受信中の放送番組がコマーシャル放送に切り替わった際に他の放送番組を視聴することができ、コマーシャル放送終了直後に元の放送番組に切り替えることができるデジタル放送受信装置を提供することにある。
【課題を解決するための手段】
【０００９】
上述した課題を解決するために、本発明のデジタル放送受信装置は、所定のチャンネルの番組について、放送波の受信状態が良好な場合にフルセグメントデジタル放送受信を行い、放送波の受信状態が基準値よりも悪化した場合にワンセグメントデジタル放送受信を行うデジタル放送受信装置であって、複数のアンテナのそれぞれに対応して設けられた複数のチューナ部と、第１のチャンネルに対応する復調処理および映像・音声の再生処理を、コマーシャル放送中以外の期間については複数のチューナ部の出力に基づいて行い、コマーシャル放送中の期間については複数のチューナ部の一部の出力に基づいて行う第１の復調再生手段と、第１のチャンネルにおいてコマーシャル放送中に、第１のチャンネルとは異なる第２のチャンネルに対応する復調処理および映像・音声の再生処理を、複数のチューナ部の残りの出力に基づいて行う第２の復調再生手段と、基準値をコマーシャル放送中とその前後で変更し、コマーシャル放送中のフルセグメントデジタル放送受信を、その前後に比べて受信状態が悪化しても維持できるように、基準値をコマーシャル放送中とその前後で変更する基準値変更手段と、第１の復調再生手段による処理内容に基づいてコマーシャル放送の開始時点および終了時点を検出するコマーシャル検出手段と、開始時点以前および終了時点以後に、第１のチャンネルに対応する第１の復調再生手段の出力を用いて映像表示および音声出力を行い、開始時点から終了時点までの間に、第２のチャンネルに対応する第２の復調再生手段の出力を用いて映像表示および音声出力を行う出力切替手段とを備えている。
【００１０】
上述した出力切替手段は、コマーシャル放送中以外は、第１のチャンネルの番組に対応する映像を表示装置に表示し、コマーシャル放送中は第１のチャンネルの番組に対応する映像に代えて、第２のチャンネルの番組に対応する映像を表示装置に表示している。
【００１１】
これにより、受信中の第１のチャンネルの番組がコマーシャル放送に切り替わった際に他のチャンネルの番組を視聴することができる。また、コマーシャル放送の終了時点の検出を、主にフルセグメントデジタル放送に基づいて行うことができるため、コマーシャル放送が終了した時点で、フルセグメントデジタル放送による元の第１のチャンネルの番組に切り替えることができ、番組の先頭部分の欠落による見逃しを防止することができる。
【００１２】
また、上述した第１および第２の復調再生手段は、２以上のチューナ部の出力に基づいて復調処理および再生処理を行う場合に、これら２以上のチューナ部を用いた合成ダイバーシティ構成によって１つの番組に対するこれらの処理を行うことが望ましい。これにより、番組を受信するためのアンテナおよびチューナ部の数を増やすことにより、確実に受信状態を向上させることができる。
【００１３】
また、上述した第２の復調再生手段による復調処理および再生処理の対象となる第２のチャンネルの番組を、利用者による操作に応じて切り替える選局手段をさらに備えることが望ましい。これにより、利用者は、第１のチャンネルにおいてコマーシャル放送中に、第２のチャンネルを切り替えながら各チャンネルの番組の内容を確認することが可能となる。
【００１４】
また、上述した出力切替手段は、コマーシャル検出手段によってコマーシャル放送の終了時点が検出されたときに、映像表示および音声出力の対象を、第２のチャンネルに対応する第２の復調再生手段から、第１のチャンネルに対応する第１の復調再生手段に自動的に切り替えることが望ましい。これにより、元の放送番組に切り替えるタイミングが遅れることによる先頭部分の欠落を確実に防止することができる。
【００１５】
また、上述した出力切替手段は、コマーシャル検出手段によってコマーシャル放送の終了時点が検出された時点で、利用者が操作手段を操作することによる切り替え時期の延長が指示されている場合に、この指示の解除を待って、映像表示および音声出力の対象を、第２のチャンネルの番組から第１のチャンネルの番組に切り替えることが望ましい。これにより、コマーシャル放送中に視聴していた別のチャンネルの番組をもう少し見たい場合にその視聴を継続することが可能となる。
【００１６】
また、上述したコマーシャル検出手段は、コマーシャル放送が開始された後、所定周期で所定時間だけ終了時点の検出を行うことが望ましい。一般に、コマーシャル放送の継続時間は、数種類の中から選択的に決められる場合が多いため、これら数種類のコマーシャル放送の終了時点を考慮することで、この終了時点を効率よく検出することができる。これにより、コマーシャル放送中であっても終了時点の検出を行っていない期間について他のチャンネルの番組を全てのチューナ部を用いて受信することが可能となり、他のチャンネルの番組の表示品質を向上させることができる。
【図面の簡単な説明】
【００１７】
【図１】一実施形態の地上デジタル放送受信機の構成を示す図である。
【図２】コマーシャル放送に関連して行われる地上デジタル放送受信機の動作手順を示す流れ図である。
【図３】コマーシャル放送受信に関連して行われる地上デジタル放送受信機の動作の概要を示す図である。
【図４】コマーシャル放送終了時に第２のチャンネルの番組表示等を延長する場合の変形例を示す流れ図である。
【発明を実施するための形態】
【００１８】
以下、本発明を適用した一実施形態の地上デジタル放送受信機について、図面を参照しながら説明する。図１は、一実施形態の地上デジタル放送受信機の構成を示す図である。図１に示すように、本実施形態の地上デジタル放送受信機１００は、４つのチューナ部１０、１２、１４、１６、２つのＯＦＤＭ（Orthogonal Frequency Division Multiplex）復調部３０、３２、ＭＰＥＧデコーダ４０、デジタル−アナログ変換器（Ｄ／Ａ）４２、スピーカ４４、表示処理部４６、表示装置４８、制御部５０、操作部６０を含んで構成されている。この地上デジタル放送受信機１００は、車両に搭載されている。
【００１９】
チューナ部１０、１２、１４、１６のそれぞれは、指定された放送局に対応するチャンネルの受信周波数の放送波を、それぞれに１対１に対応して設けられたアンテナ１１、１３、１５、１７を介して受信する。ＯＦＤＭ復調部３０、３２のそれぞれは、複数のチューナ部から入力される放送信号（ＩＦ信号）に対してＯＦＤＭ復調処理を行い、ＴＳ（トランスポートストリーム）信号を出力する。本実施形態では、複数のチューナ部から入力される放送信号を用い、これらの放送信号の位相を調整した後に合成して受信する合成ダイバーシティ構成が採用され、使用するチューナ部の数が多い程Ｃ／Ｎを向上させるとともに、ＢＥＲ（ビットエラーレート）を低下させることができる。
【００２０】
また、本実施形態では、２つのチューナ部１０、１２から出力される２つのＩＦ信号を合成してＯＦＤＭ復調処理を行う２合成ダイバーの動作が一方のＯＦＤＭ復調部３０によって行われるとともに、他の２つのチューナ部１４、１６から出力される２つのＩＦ信号を合成してＯＦＤＭ復調処理を行う２合成ダイバーの動作が他方のＯＦＤＭ復調部３２によって行われる。なお、４つのチューナ部１０〜１６から出力される４つのＩＦ信号を合成する４合成ダイバーの動作を行う際には、他方のＯＦＤＭ復調部３２の出力信号が一方のＯＦＤＭ復調部３０に入力されて、このＯＦＤＭ復調部３０によってＩＦ信号の合成およびＯＦＤＭ復調処理が行われる。
【００２１】
ＭＰＥＧデコーダ４０は、ＯＦＤＭ復調部３０、３２から出力されるＴＳ信号に含まれる受信番組の音声および映像のＭＰＥＧ信号をデコードし、音声データおよび映像データを出力する。なお、実際には、ＯＦＤＭ復調部３０、３２から出力されるＴＳ信号はデマルチプレクサに入力されて、利用者が視聴を希望している１つのチャンネルの番組に対応する音声および映像のＭＰＥＧ信号が分離されるが、このような番組の受信動作自体は従来手法と同じであって、図１では概略構成のみが図示されている。
【００２２】
デジタル−アナログ変換器４２は、ＭＰＥＧデコーダ４０から出力される音声データをアナログ音声信号に変換し、スピーカ４４から出力する。表示処理部４６は、ＭＰＥＧデコーダ４０から出力される映像データを、表示に適した形式（例えば、ＮＴＳＣ形式）の映像信号に変換して表示装置４８に表示する。
【００２３】
制御部５０は、地上デジタル放送受信機１００の全体を制御するとともに、放送波の受信状態が良好な場合のフルセグメントデジタル放送受信と放送波の受信状態が悪化した場合のワンセグメントデジタル放送受信の切り替え、ＣＭ（コマーシャル）放送受信の開始時点と終了時点の検出、ＣＭ放送中とその前後における受信チャンネル（番組）の切り替えなどの動作を行う。このために、制御部５０は、第１の復調再生処理部５１、第２の復調再生処理部５２、基準値変更部５３、ＣＭ検出部５４、出力切替部５５、ＢＥＲ測定部５６、フルセグ／ワンセグ切替部５７、選局処理部５８を備えている。
【００２４】
本実施形態では、利用者が継続的に視聴を行うチャンネルを「第１のチャンネル」とし、この第１のチャンネルの番組を表示中にコマーシャル放送に移行すると、利用者の選局指示に応じて他のチャンネル（この他のチャンネルを「第２のチャンネル」とする）の番組に表示を切り替えることができ、その後第１のチャンネルにおけるコマーシャル放送が終了したときに自動的に第１のチャンネルの番組表示に復帰するように制御が行われる。
【００２５】
第１の復調再生処理部５１は、第１のチャンネルの番組に対応する復調処理および映像・音声の再生処理の制御を、コマーシャル放送中以外の期間については４つのチューナ部１０、１２、１４、１６の出力に基づいて行い、コマーシャル放送中の期間については２つのチューナ部１０、１２の出力に基づいて行う。
【００２６】
第２の復調再生処理部５２は、第１のチャンネルにおいてコマーシャル放送中に、第１のチャンネルとは異なる第２のチャンネルの番組に対応する復調処理および映像・音声の再生処理の制御を、２つのチューナ部１４、１６の出力に基づいて行う。
【００２７】
基準値変更部５３は、  第１の復調再生処理部５１の制御に対応して行われる第１のチャンネルの放送波について、受信状態が良好な場合のフルセグメントデジタル放送受信と受信状態が悪化した場合のワンセグメントデジタル放送受信とを切り替える基準値をコマーシャル放送中とそれ以外（コマーシャル放送の前後）で変更し、コマーシャル放送中のフルセグメントデジタル放送受信を、その前後に比べて受信状態が悪化しても維持できるようにする。
【００２８】
例えば、受信中の放送波に対応するＢＥＲが所定の基準値よりも小さいとき（放送波の受信状態が良好なとき）にフルセグメントデジタル放送受信を行い、ＢＥＲが所定の基準値よりも大きいとき（放送波の受信状態が悪いとき）にワンセグメントデジタル放送受信を行う。コマーシャル放送中の前後において第１のチャンネルの番組を受信する際に用いられる基準値を「基準値Ａ」とし、コマーシャル放送を受信する際に用いられる基準値を「基準値Ｂ」としたときに、基準値Ｂ＞基準値Ａとなるように、すなわち、コマーシャル放送中は、受信状態が悪化してＢＥＲが大きくなってもワンセグメントデジタル放送受信に切り替わらないように、それまでの基準値Ａに代えて大きな値を有する基準値Ｂが用いられる。
【００２９】
ＣＭ検出部５４は、第１の復調再生処理部５１の制御対象となる第１のチャンネルについて、コマーシャル放送の開始時点および終了時点を検出（判定）する。なお、コマーシャル放送の検出手法自体は、本発明の本質とは直接関係しないため省略するが、既存の方法を適用して検出することができる。
【００３０】
出力切替部５５は、ＣＭ検出部５４によって検出されるコマーシャル放送の開始時点以前および終了時点以後に第１の復調再生処理部５１の制御によって得られる第１のチャンネルの番組の映像表示および音声出力を行い、コマーシャル放送の開始時点から終了時点までの間に（正確には、使用者による指示を待って）第２の復調再生処理部５２の制御によって得られる第２のチャンネルの番組の映像表示および音声出力を行う。
【００３１】
ＢＥＲ測定部５６は、４つのチューナ部１０〜１６を用いた４合成ダイバー動作に対応してＯＦＤＭ復調部３０から出力される復調処理後のＴＳ信号、あるいは、２つのチューナ部１０、１２を用いた２合成ダイバー動作に対応してＯＦＤＭ復調部３０から出力される復調処理後のＴＳ信号および２つのチューナ部１４、１６を用いた２合成ダイバー動作に対応してＯＦＤＭ復調部３２から出力される復調処理後のＴＳ信号のそれぞれに基づいて、受信中のチャンネルに対応するＢＥＲを測定する。
【００３２】
フルセグ／ワンセグ切替部５７は、受信中のチャンネルに対応するＢＥＲと基準値とを比較し、ＢＥＲが基準値よりも小さい場合（受信状態が良い場合）にフルセグメントデジタル放送受信に、ＢＥＲが基準値よりも大きい場合（受信状態が悪い場合）にワンセグメントデジタル放送受信に切り替える。なお、ＢＥＲが基準値近傍で変動する際にフルセグメントデジタル放送受信とワンセグメントデジタル放送受信とが短時間に頻繁に切り替わらないように、フルセグメントデジタル放送受信からワンセグメントデジタル放送受信に切り替える場合の基準値よりもワンセグメントデジタル放送受信からフルセグメントデジタル放送受信に切り替える場合の基準値を小さく設定するなどしてヒステリシスを持たせるようにしてもよい。
【００３３】
選局処理部５８は、利用者が操作部６０を操作することにより行われる選局操作に応じて、受信対象となるチャンネル（放送局）を切り替える選局処理を行う。
【００３４】
上述したＯＦＤＭ復調部３０、３２、ＭＰＥＧデコーダ４０、第１の復調再生処理部５１が第１の復調再生手段に、ＯＦＤＭ復調部３２、ＭＰＥＧデコーダ４０、第２の復調再生処理部５２が第２の復調再生手段に、基準値変更部５３が基準値変更手段に、ＣＭ検出部５４がコマーシャル検出手段に、出力切替部５５が出力切替手段に、選局処理部５８が選局手段にそれぞれ対応する。
【００３５】
本実施形態の地上デジタル放送受信機１００はこのような構成を有しており、次にその動作を説明する。例えば、本実施形態では、いずれかのチャンネル（第１のチャンネル）のフルセグメントデジタル放送の番組を受信し、再生（表示および音声出力）中に、操作部６０を用いて利用者によるチャンネル変更が指示されたときに、コマーシャル放送中とそれ以外の場合とで以下に示す異なる処理が行われる。
【００３６】
（１）コマーシャル放送中の場合
２つのチューナ部１４、１６を用いて、利用者によって変更が指示された第２のチャンネルのフルセグメントデジタル放送の受信、再生（表示および音声出力）に切り替えるが、切り替え前の第１のチャンネルのコマーシャル放送についても、２つのチューナ部１０、１２を用いて第１のチャンネルのフルセグメントデジタル放送の受信を継続する。
【００３７】
但し、この第１のチャンネルに対応する受信動作は、コマーシャル放送が終了した時点を検出するために行うものであり、最終的な表示や音声出力は行わないが、コマーシャル放送の終了時点検出が可能な信号やデータが得られるまでのＯＦＤＭ復調処理やＭＰＥＧ信号のデコード処理を行う必要がある。
【００３８】
また、２つのチューナ部１４、１６を用いて受信する第２のチャンネルに対応するＢＥＲが受信状態悪化に伴って基準値Ａよりも大きくなった場合には、自動的にフルセグメントデジタル放送からワンセグメントデジタル放送受信に切り替えられる。
【００３９】
一方で、２つのチューナ部１０、１２を用いて受信を継続する第１のチャンネルに対応するＢＥＲが受信状態悪化に伴って基準値Ｂよりも大きくなった場合にも、自動的にフルセグメントデジタル放送からワンセグメントデジタル放送受信に切り替えられる。しかし、上述したようにこの基準値Ｂは基準値Ａよりも大きい値が設定されており、受信状態が多少悪化してもフルセグメントデジタル放送の受信を継続できるようになっている。
【００４０】
（２）コマーシャル放送中以外の場合
４つのチューナ部１０〜１６を用いて、利用者によって変更が指定されたチャンネルのフルセグメントデジタル放送の受信、再生（表示および音声出力）に切り替える。この切り替えによって受信対象となったチャンネルが、新たな「第１のチャンネル」となる。
【００４１】
図２は、コマーシャル放送に関連して行われる地上デジタル放送受信機１００の動作手順を示す流れ図である。この流れ図では、フルセグメントデジタル放送の番組を受信中にコマーシャル放送が始まった場合であって、コマーシャル放送開始前にワンセグメントデジタル放送受信に切り替わらない場合を想定している。
【００４２】
第１の復調再生処理部５１の制御により、４つのチューナ部１０〜１６を用いた４ダイバー構成によっていずれかのチャンネル（第１のチャンネル）のフルセグメントデジタル放送の番組を受信（ステップ１００）してその内容が表示される（ステップ１０２）。この表示動作と並行して、ＣＭ検出部５４は、第１のチャンネルにおいてコマーシャル放送の開始時点を検出しており、この開始時点が到来したか否か、すなわち、コマーシャル放送が開始されたか否かを判定する（ステップ１０４）。コマーシャル放送が始まらない場合には否定判断が行われ、ステップ１００に戻ってフルセグメントデジタル放送の番組受信が継続される。
【００４３】
また、コマーシャル放送が始まるとステップ１０４の判定において肯定判断が行われる。次に、選局処理部５８は、受信中の第１のチャンネルとは異なる第２のチャンネルの番組への表示切替指示ありか否かを判定する（ステップ１０６）。利用者によってこの切替指示が行われない場合には否定判断が行われ、ステップ１００に戻ってフルセグメントデジタル放送の番組受信（コマーシャル放送の受信）が継続される。
【００４４】
一方、利用者が操作部６０を操作して第２のチャンネルの番組への表示切替指示を行うと、ステップ１０６の判定において肯定判断が行われる。この場合には、（ａ）２つのチューナ部１４、１６を用いた第２のチャンネルの番組の表示動作と、（ｂ）２つのチューナ部１０、１２を用いた第１のチャンネルのコマーシャル放送の終了時点監視動作とが並行して行われる。
【００４５】
（ａ）２つのチューナ部１４、１６を用いた第２のチャンネルの番組の表示動作
第１の復調再生処理部５１の制御により、２つのチューナ部１４、１６を用いた２ダイバー構成によって第１のチャンネルとは異なる第２のチャンネルの番組の受信（ステップ１０８）が開始され、その内容が表示される（ステップ１１０）。なお、それまでの４ダイバー構成から２ダイバー構成に切り替えることにより、放送波の受信状態が悪化して、第２のチャンネルに対応するＢＥＲが基準値Ａ（第１のチャンネルの番組を４ダイバー構成で受信していたときにフルセグメントデジタル放送受信からワンセグメントデジタル放送受信に切り替える際に用いた基準値と同じであるが、この値は変更するようにしてもよい）よりも大きくなると、自動的にワンセグメントデジタル放送受信に切り替わるが、本実施形態では、第１のチャンネルのコマーシャル放送受信と並行して行われる第２のチャンネルの番組受信についてはフルセグメントデジタル放送とワンセグメントデジタル放送のいずれでもよいため、受信状態に応じたこれらの切り替え処理の詳細については説明を省略する。
【００４６】
次に、選局処理部５８は、受信中の第２のチャンネルとは異なる別の第２のチャンネルの番組への表示切替指示ありか否かを判定する（ステップ１１２）。利用者によってこの切替指示が行われない場合には否定判断が行われ、ステップ１０８に戻って第２のチャンネルの番組受信が継続される。
【００４７】
一方、利用者が操作部６０を操作して別の第２のチャンネルの番組への表示切替指示を行うと、ステップ１１２の判定において肯定判断が行われる。この場合には、選局処理部５８は、受信対象となるチャンネルを、指示された第２のチャンネルに切り替える（ステップ１１４）。その後、ステップ１０８に戻って切替後の第２のチャンネルの番組受信が行われる。
【００４８】
（ｂ）２つのチューナ部１０、１２を用いた第１のチャンネルのコマーシャル放送の終了時点監視動作
基準値変更部５３は、フルセグメントデジタル放送受信とワンセグメントデジタル放送受信とを切り替える基準値を「基準値Ａ」から「基準値Ｂ」に変更する（ステップ１１６）。これにより、放送波の受信状態悪化により、フルセグメントデジタル放送受信からワンセグメントデジタル放送受信に切り替わることを抑制することが可能となる。
【００４９】
次に、第２の復調再生処理部５２の制御により、２つのチューナ部１０、１２を用いた２ダイバー構成によって第１のチャンネルのフルセグメントデジタル放送の番組（コマーシャル）の受信が継続される（ステップ１１８）。なお、第１のチャンネルについては、コマーシャル放送の終了時点を判定できればよいため、番組内容（コマーシャル放送の内容）表示や音声出力は行われない。
【００５０】
次に、ＣＭ検出部５４は、第１のチャンネルにおいてコマーシャル放送の終了時点が到来したか否か、すなわち、コマーシャル放送が終了したか否かを判定する（ステップ１２０）。コマーシャル放送が終了すると肯定判断が行われる。次に、基準値変更部５３は、フルセグメントデジタル放送受信とワンセグメントデジタル放送受信とを切り替える基準値を「基準値Ｂ」から「基準値Ａ」に戻す（ステップ１２２）。その後、ステップ１００に戻って、第１のチャンネルについてコマーシャル放送終了後の先頭からフルセグメントデジタル放送の番組受信が再開される。なお、これ以後、４つのチューナ部１０〜１６が第１のチャンネルの番組受信用に使用されるため、上述したステップ１０８〜１１４で示された第２のチャンネルの番組受信動作は、この時点で強制的に終了する。
【００５１】
また、コマーシャル放送が継続中の場合にはステップ１２０の判定において否定判断が行われる。次に、フルセグ／ワンセグ切替部５７は、第１のチャンネルに対応してＢＥＲ測定部５６によって測定されたＢＥＲが基準値Ｂよりも大きいか否かを判定する（ステップ１２４）。ＢＥＲが基準値Ｂよりも小さい場合には否定判断が行われ、ステップ１１８に戻って２つのチューナ部１０、１２を用いた第１のチャンネルのコマーシャル放送の受信が継続される。
【００５２】
なお、本実施形態では、基準値Ｂを用いることにより、２ダイバー構成であってもフルセグメントデジタル放送受信からワンセグメントデジタル放送受信に容易に切り替わらないようにしているが、それでも放送波の受信状態が極端に悪化した場合にはフルセグメントデジタル放送受信が困難になるため、ワンセグメントデジタル放送受信に切り替えるようにしている。
【００５３】
放送波の受信状態が極端に悪化してＢＥＲが基準値Ｂよりも大きくなるとステップ１２４の判定において肯定判断が行われる。次に、フルセグ／ワンセグ切替部５７は、第１のチャンネルについてそれまでのフルセグメントデジタル放送受信からワンセグメントデジタル放送受信に切り替える（ステップ１２６）。また、フルセグ／ワンセグ切替部５７は、第１のチャンネルに対応してＢＥＲ測定部５６によって測定されたワンセグメントデジタル放送のＢＥＲが基準値Ｂよりも小さくなったか否かを判定する（ステップ１２８）。ＢＥＲが基準値Ｂよりも大きい状態を維持している場合には否定判断が行われ、ステップ１２０に戻ってコマーシャル放送の終了判定が繰り返される。
【００５４】
一方、ＢＥＲが基準値よりも小さくなった場合にはステップ１２８の判定において肯定判断が行われる。この場合には、ステップ１１８に戻って第１のチャンネルについてフルセグメントデジタル放送の番組（コマーシャル）受信が行われる。
【００５５】
図３は、コマーシャル放送受信に関連して行われる地上デジタル放送受信機１００の動作の概要を示す図である。図３において、横軸は経過時間ｔを示しており、ｔ１においてコマーシャル放送が始まり、ｔ２において利用者によるチャンネル切替が指示され、ｔ３においてコマーシャル放送が終了する。
【００５６】
ｔ１まで（コマーシャル放送が始まるまで）
コマーシャル放送が始まるｔ１までは、４つのチューナ部１０〜１６を用いて第１のチャンネルのフルセグメントデジタル放送の番組が受信され、その内容が表示および音声出力される。なお、本実施形態では、第１のチャンネルについてフルセグメントデジタル放送の番組を受信することを前提としているが、受信状態が悪化してＢＥＲが基準値Ａよりも大きくなった場合にはワンセグメントデジタル放送受信に切り替えられる。
【００５７】
ｔ１〜ｔ２（コマーシャル放送開始後、チャンネル切替指示前）
コマーシャル放送開始後であってもチャンネル切替が指示されるまでは、４つのチューナ部１０〜１６を用いて第１のチャンネルのフルセグメントデジタル放送の番組を受信し、その内容を表示および音声出力する動作が継続される。また、これらの動作と並行して、利用者によるチャンネルの切替指示の有無が監視される。
【００５８】
ｔ２〜ｔ３（コマーシャル放送中・終了前、チャンネル切替指示後）
コマーシャル放送が始まった後、利用者によってチャンネル切替がｔ２において指示されると、２つのチューナ部１０、１２を用いて第１のチャンネルのコマーシャル放送の受信（非表示）がバックグラウンドで行われる。また、この動作と並行して、２つのチューナ部１４、１６を用いて第２のチャンネルの番組の受信および表示が行われる。
【００５９】
バックグラウンドで行われる第１のチャンネルのコマーシャル放送の受信は、可能な限りフルセグメントデジタル放送を受信できるように、フルセグメントデジタル放送受信からワンセグメントデジタル放送受信に切り替える際に用いる基準値として、基準値Ａよりも大きい値を有する基準値Ｂが用いられる。
【００６０】
一方、第２のチャンネルについては、番組を表示させてその内容を確認できれば良いため、基準値Ｂをそのまま適用し、受信状態に応じてフルセグメントデジタル放送受信とワンセグメントデジタル放送受信とを相互に切り替えられる。
【００６１】
ｔ３以後（コマーシャル放送終了後）
コマーシャル放送が終了すると、それまでの第２のチャンネルの番組表示および音声出力が中止され、４つのチューナ部１０〜１６を用いた第１のチャンネルのフルセグメントデジタル放送の番組表示および音声出力が、コマーシャル放送終了直後から再開される。
【００６２】
このように、本実施形態の地上デジタル放送受信機１００では、受信中の第１のチャンネルの番組がコマーシャル放送に切り替わった際に他のチャンネルの番組を視聴することができる。また、コマーシャル放送の終了時点の検出を、主にフルセグメントデジタル放送に基づいて行うことができるため、コマーシャル放送が終了した時点で、フルセグメントデジタル放送による元の第１のチャンネルの番組に切り替えることができ、コマーシャル放送終了後の番組の先頭部分の欠落による見逃しを防止することができる。
【００６３】
また、２以上のチューナ部１０〜１６の出力に基づいて復調処理および再生処理を行う場合に、これら２以上のチューナ部１０〜１６を用いた合成ダイバーシティ構成によって１つの番組に対するこれらの処理を行っている。これにより、番組を受信するためのアンテナおよびチューナ部の数を増やすことにより、確実に受信状態を向上させることができる。
【００６４】
また、第１のチャンネルにおいてコマーシャル放送中に、利用者は、第２のチャンネルを適宜切り替えながら各チャンネルの番組の内容を確認することが可能となる。
【００６５】
また、第１のチャンネルのコマーシャル放送の終了時点が検出されたときに、第２のチャンネルの番組ついて表示および音声出力を終了させ、第１のチャンネルの番組の表示および音声出力に自動的に切り替えられるため、第１のチャンネルの元の放送番組に切り替えるタイミングが遅れることによる先頭部分の欠落を確実に防止することができる。
【００６６】
なお、本発明は上記実施形態に限定されるものではなく、本発明の要旨の範囲内において種々の変形実施が可能である。例えば、上述した実施形態では、コマーシャル放送の終了時点が検出された時点で、直ちに第２のチャンネルの番組表示および音声出力を終了させ、第１のチャンネルの元の番組表示および音声出力を再開するようにしたが、コマーシャル放送中に視聴していた第２のチャンネルの番組をもう少し見たい場合がある。このような場合を想定し、コマーシャル放送終了時に、利用者が操作部６０を操作することによる切り替え時期の延長が指示されている場合に、この指示の解除を待って、第１のチャンネルの元の番組表示および音声出力を再開するようにしてもよい。
【００６７】
図４は、コマーシャル放送終了時に第２のチャンネルの番組表示等を延長する場合の変形例を示す流れ図である。この流れ図は、図２に示した流れ図に対して、ステップ１２０と１２２の間に、ステップ１２１Ａ、１２１Ｂを追加した点が異なっている。
【００６８】
コマーシャル放送が終了してステップ１２０の判定において肯定判断が行われた後、ＣＭ検出部５４は、利用者が操作部６０を操作することにより切り替え時期の延長が指示されているか否かを判定する（ステップ１２１Ａ）。指示されていない場合には否定判断が行われ、ステップ１２２に移行して基準値の変更が実施される。また、延長が指示されている場合にはステップ１２１Ａの判定において肯定判断が行われる。この場合には、次に、ＣＭ検出部５４は、利用者が操作部６０を操作することによりこの延長指示の解除が行われたか否かを判定する（ステップ１２１Ｂ）。解除が指示されない場合には否定判断が行われ、この判定が繰り返される。また、利用者によって解除が指示されるとステップ１２１Ｂの判定において肯定判断が行われ、ステップ１２２に移行して基準値の変更が実施される。このように、ステップ１２１Ａ、１２１Ｂを追加することにより、コマーシャル放送中に視聴していた第２のチャンネルの番組をもう少し見たい場合にその視聴を継続（延長）することが可能となる。なお、上述した説明では、ステップ１２１Ａ、１２１Ｂの判定動作をＣＭ検出部５４が行うようにしたが、基準値変更部５３が行うようにしてもよいし、遅延判定部等の構成を追加してこの追加した構成においてこれらの判定を行うようにしてもよい。
【００６９】
また、上述した実施形態では、第１のチャンネルにおいてコマーシャル放送が始まった後、利用者によるチャンネル切替が指示されてから、継続的にコマーシャル放送の終了を検出するようにしたが、一般には、コマーシャル放送の時間は数種類の候補の中から選択されて決められるため、これら数種類の候補の終了時点近傍でコマーシャル放送の終了を検出するようにしてもよい。例えば、一部の例外を除き、コマーシャル放送の時間は１５秒の整数倍となるように決められているため、ｎを整数（＝１、２、３、・・・）としたときに、ＣＭ検出部５４は、コマーシャル放送開始時点を基準にして、１５ｎ−１から１５ｎ＋α（例えばα＝０．５）の間だけ、コマーシャル放送の終了時点の検出を行うようにしてもよい。
【００７０】
このように、コマーシャル放送が開始された後、所定周期で所定時間だけ終了時点の検出を行うことにより、コマーシャル放送中であっても終了時点の検出を行っていない期間について第２のチャンネルの番組を全てのチューナ部１０〜１６を用いて受信することが可能となり、第２のチャンネルの番組の表示品質を向上させることができる。
【００７１】
また、上述した実施形態では、第１のチャンネルにおいてコマーシャル放送中に、２つのチューナ部１０、１２を用いてこのコマーシャル放送を受信し、残りの２つのチューナ部１４、１６を用いて第２のチャンネルの番組を受信したが、各チャンネルを受信するチューナ部の数はこれらの組み合わせ以外に設定してもよい。例えば、１つのチューナ部と３つのチューナ部の組み合わせで第１および第２のチャンネルの各番組を受信するようにしてもよい。
【００７２】
また、上述した実施形態では、フルセグメントデジタル放送受信とワンセグメントデジタル放送受信との切り替えを、各チャンネルに対応するＢＥＲに基づいて行ったが、放送波の受信状態を示すＢＥＲ以外の特性値を用いて行うようにしてもよい。例えば、Ｃ／Ｎやその他の特性値を用いて切り替えるようにしてもよい。
【産業上の利用可能性】
【００７３】
上述したように、本発明によれば、受信中の第１のチャンネルの番組がコマーシャル放送に切り替わった際に他のチャンネルの番組を視聴することができる。また、コマーシャル放送の終了時点の検出を、主にフルセグメントデジタル放送に基づいて行うことができるため、コマーシャル放送が終了した時点で、フルセグメントデジタル放送による元の第１のチャンネルの番組に切り替えることができ、番組の先頭部分の欠落による見逃しを防止することができる。
【符号の説明】
【００７４】
１００  地上デジタル放送受信機
１０、１２、１４、１６  チューナ部
３０、３２  ＯＦＤＭ復調部
４０  ＭＰＥＧデコーダ
４２  デジタル−アナログ変換器（Ｄ／Ａ）
４４  スピーカ
４６  表示処理部
４８  表示装置
５０  制御部
５１  第１の復調再生処理部
５２  第２の復調再生処理部
５３  基準値変更部
５４  ＣＭ検出部
５５  出力切替部
５６  ＢＥＲ測定部
５７  フルセグ／ワンセグ切替部
５８  選局処理部
６０  操作部
【図１】
0006449118.tif 000002
【図２】
0006449118.tif 000003
【図３】
0006449118.tif 000004
【図４】
0006449118.tif 000005